(57)【要約】【課題】レーベル面の中心に対してずれた画像が記録された見栄えの悪い記録ディスクのレーベル面に輪形画像を記録することにより、記録ディスクのレーベル面の見栄えを良くすることができる画像記録装置を提供すること。【解決手段】メイン処理において、レーベル面全体が読み取られ（Ｓ６）、ステップＳ６の読み取り結果から、内輪形画像の幅の設定と（Ｓ７）外輪形画像の幅の設定と（Ｓ８）が行われ、ステップＳ７で設定された輪形幅で内輪形画像が生成され（Ｓ９）、ステップＳ８で設定された輪形幅で外輪形画像が生成される（Ｓ１０）。ステップＳ９及びＳ１０で生成された内輪形画像及び外輪形画像が記録ディスクに記録される（Ｓ１５）。このため、記録ディスクのレーベル面の見栄えを良くすることができる。【選択図】図３
2010221453.tif 000002
【特許請求の範囲】
【請求項１】
記録ディスクを載置する載置部を有するトレイと、
前記トレイを搬送する搬送部と、
前記搬送部によって搬送される前記トレイの載置部に載置されている前記記録ディスクのレーベル面に画像を記録する記録部と、
前記記録部を搭載して前記記録ディスクの搬送方向と直交する方向に往復移動するキャリッジと、
前記キャリッジに搭載され、前記トレイ及び前記記録ディスクに対し照射光を発する発光部、及び、それらから反射された反射光を受光し、前記反射光の強度に応じた値の受光出力信号を変換生成する受光部を有する検出センサと、
前記検出センサの走査結果に基づいて、前記記録ディスクの中心位置を演算する中心演算部と、
前記搬送部によって前記トレイを搬送し、且つ、そのトレイに載置された記録ディスクのレーベル面上を前記キャリッジに搭載された前記検出センサを複数回走査させ、前記記録ディスクのレーベル面の画像が記録されていない非記録領域を抽出する領域抽出部と、
前記領域抽出部によって抽出された非記録領域に基づいて、前記中心位置を基準とする前記記録ディスクの縁塗りのための輪形の輪形画像を生成する輪形画像生成部と、
前記中心演算部によって演算された前記記録ディスクの中心位置を基準として、前記記録ディスクのレーベル面に前記輪形画像生成部によって生成された前記輪形画像を前記記録部によって記録させる制御部と、
を備えたことを特徴とする画像記録装置。
【請求項２】
前記輪形画像生成部は、前記領域抽出部によって抽出された非記録領域に基づいて、前記輪形画像の生成内容を算出する算出部を備えたことを特徴とする請求項１に記載の画像記録装置。
【請求項３】
前記算出部は、
前記領域抽出部によって抽出された非記録領域に基づいて前記輪形画像の幅を算出する輪形幅算出部と、
前記領域抽出部によって抽出された非記録領域に基づいて、前記中心位置からの前記輪形画像の内半径及び外半径を算出する半径算出部と、
を備えたことを特徴とする請求項２に記載の画像記録装置。
【請求項４】
前記輪形画像生成部は、前記記録ディスクのレーベル面の内周領域に記録される内輪形画像と外周領域に記録される外輪形画像との少なくとも一方を生成し、
前記輪形幅算出部は、前記記録ディスクの内周縁から中心方向とは反対方向において、記録ディスクのレーベル面の画像が記録されている記録領域に達するまでに存在する前記非記録領域の最大の長さを、前記内輪形画像の幅として算出し、前記記録ディスクの外周縁から中心方向において、記録ディスクのレーベル面の画像が記録されている記録領域に達するまでに存在する前記非記録領域の最大の長さを、前記外輪形画像の幅として算出することを特徴とする請求項３に記載の画像記録装置。
【請求項５】
前記半径算出部は、
前記内輪形画像の内半径を、前記記録ディスクの中心位置から内周縁までの長さとして算出し、前記内輪形画像の外半径を、前記内半径の長さと前記内輪形画像の幅との和として算出し、
前記外輪形画像の外半径を、前記記録ディスクの中心位置から外周縁までの長さとして算出し、前記外輪形画像の内半径を、前記外半径の長さと前記外輪形画像の幅との差として算出することを特徴とする請求項４に記載の画像記録装置。
【請求項６】
前記領域抽出部によって抽出された非記録領域に基づいて、記録ディスクのレーベル面の内周領域または外周領域に沿って非記録領域のみが存在するか否かを判断する領域判断部を備え、
前記領域判断部によって、前記記録ディスクのレーベル面の内周領域または外周領域に沿って記録領域と非記録領域とが存在すると判断された場合は、
前記輪形幅算出部は、前記記録ディスクの内周縁から中心方向とは反対方向において、記録ディスクのレーベル面の画像が記録されている記録領域に達するまでに存在する前記非記録領域の最大の長さを、前記内輪形画像の幅として算出し、前記記録ディスクの外周縁から中心方向において、記録ディスクのレーベル面の画像が記録されている記録領域に達するまでに存在する前記非記録領域の最大の長さを、前記外輪形画像の幅として算出し、
前記領域判断部によって、前記記録ディスクのレーベル面の内周領域または外周領域に沿って非記録領域のみが存在すると判断された場合は、
前記輪形幅算出部は、内周領域及び外周領域のそれぞれにおいて、最大の非記録領域の長さと最小の非記録領域の長さとの差を前記内輪形画像及び前記外輪形画像の幅として算出することを特徴とする請求項４または５に記載の画像記録装置。
【請求項７】
前記半径算出部は、
前記領域判断部によって、前記記録ディスクのレーベル面の内周領域または外周領域に沿って非記録領域のみが存在すると判断された場合は、
前記内輪形画像の内半径を、前記記録ディスクの中心位置から内周縁までの長さと前記内周領域に存在する前記最小の非記録領域の長さとの和として算出し、前記内輪形画像の外半径を、前記内半径の長さと前記内輪形画像の幅との和として算出し、
前記外輪形画像の外半径を、前記記録ディスクの中心位置から外周縁までの長さと前記外周領域に存在する前記最小の非記録領域の長さとの差として算出し、前記外輪形画像の内半径を、前記外半径の長さと前記外輪形画像の幅との差として算出することを特徴とする請求項６に記載の画像記録装置。
【発明の詳細な説明】
【技術分野】
【０００１】
本発明は、画像記録装置に関するものであり、より詳しくは、ＣＤ（Ｃｏｍｐａｃｔ  Ｄｉｓｃ）等の記録ディスクのレーベル面（表面）に画像を記録することが可能な画像記録装置に関する。
【背景技術】
【０００２】
従来より、例えば、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｋ）等の円形状に形成された記録ディスクをトレイに載置し、その記録ディスクのレーベル面に画像を記録可能な画像記録装置が知られている。
【０００３】
この種の画像記録装置に関し、例えば、特許文献１には、記録媒体であるＣＤをＣＤトレイに載置し、そのＣＤトレイを記録用紙等と同様には搬送手段により搬送することで、ＣＤのレーベル面に画像を記録することが可能であった。上記ＣＤトレイ及び上記画像記録装置には、ＣＤトレイを画像記録装置に対して主走査方向に位置決めさせるためのガイド部が備えられている。また、ＣＤトレイにマークを形成しておき、画像記録装置に備えたセンサによって、そのマークを検出することで、ＣＤトレイを画像記録装置に対して副走査方向においても位置決めを行っている。これにより、画像を記録する位置を設定し、ＣＤのレーベル面の適切な位置に画像を記録することが可能であった。
【先行技術文献】
【特許文献】
【０００４】
【特許文献１】特開２００３−１１２４５８号公報
【発明の概要】
【発明が解決しようとする課題】
【０００５】
しかしながら、上述した特許文献１に記載されている画像記録装置において、ガイド部の製造誤差等により、記録されるべき適切な位置とはずれた状態でレーベル面に画像が記録される場合があった。また、画像記録時の装置本体の振動により、画像記録中にＣＤトレイと画像形成装置との位置関係にずれが生じてしまう場合もあった。このように、ＣＤトレイと画像記録装置との位置決め精度をいかに向上させたとしても限界があり、画像記録の位置ずれをなくすことは困難であった。そのため、画像がＣＤのレーベル面の中心に対してずれて記録されてしまい、そのレーベル面の内周領域及び外周領域の一部に余白が発生してしまい見栄えが悪くなることがあった。また、予め余白を残すように画像をレーベル面に記録した場合であっても、余白の幅が不均一となり見栄えが悪くなることがあった。
【０００６】
本発明は、上述した問題を解決するためになされたものであり、レーベル面の中心に対してずれた画像が記録された見栄えの悪い記録ディスクのレーベル面に輪形画像を記録することにより、記録ディスクのレーベル面の見栄えを良くすることができる画像記録装置を提供することを目的としている。
【課題を解決するための手段】
【０００７】
この目的を達成するために、請求項１に記載の画像記録装置は、記録ディスクを載置する載置部を有するトレイと、前記トレイを搬送する搬送部と、前記搬送部によって搬送される前記トレイの載置部に載置されている前記記録ディスクのレーベル面に画像を記録する記録部と、前記記録部を搭載して前記記録ディスクの搬送方向と直交する方向に往復移動するキャリッジと、前記キャリッジに搭載され、前記トレイ及び前記記録ディスクに対し照射光を発する発光部、及び、それらから反射された反射光を受光し、前記反射光の強度に応じた値の受光出力信号を変換生成する受光部を有する検出センサと、前記検出センサの走査結果に基づいて、前記記録ディスクの中心位置を演算する中心演算部と、前記搬送部によって前記トレイを搬送し、且つ、そのトレイに載置された記録ディスクのレーベル面上を前記キャリッジに搭載された前記検出センサを複数回走査させ、前記記録ディスクのレーベル面の画像が記録されていない非記録領域を抽出する領域抽出部と、前記領域抽出部によって抽出された非記録領域に基づいて、前記中心位置を基準とする前記記録ディスクの縁塗りのための輪形の輪形画像を生成する輪形画像生成部と、前記中心演算部によって演算された前記記録ディスクの中心位置を基準として、前記記録ディスクのレーベル面に前記輪形画像生成部によって生成された前記輪形画像を前記記録部によって記録させる制御部と、を備えたことを特徴とするものである。
【０００８】
請求項２に記載の画像記録装置は、請求項１に記載の画像記録装置において、前記輪形画像生成部は、前記領域抽出部によって抽出された非記録領域に基づいて、前記輪形画像の生成内容を算出する算出部を備えたことを特徴とするものである。
【０００９】
請求項３に記載の画像記録装置は、請求項３に記載の画像記録装置において、前記算出部は、前記領域抽出部によって抽出された非記録領域に基づいて前記輪形画像の幅を算出する輪形幅算出部と、前記領域抽出部によって抽出された非記録領域に基づいて、前記中心位置からの前記輪形画像の内半径及び外半径を算出する半径算出部と、を備えたことを特徴とするものである。
【００１０】
請求項４に記載の画像記録装置は、請求項３に記載の画像記録装置において、前記輪形画像生成部は、前記記録ディスクのレーベル面の内周領域に記録される内輪形画像と外周領域に記録される外輪形画像との少なくとも一方を生成し、前記輪形幅算出部は、前記記録ディスクの内周縁から中心方向とは反対方向において、記録ディスクのレーベル面の画像が記録されている記録領域に達するまでに存在する前記非記録領域の最大の長さを、前記内輪形画像の幅として算出し、前記記録ディスクの外周縁から中心方向において、記録ディスクのレーベル面の画像が記録されている記録領域に達するまでに存在する前記非記録領域の最大の長さを、前記外輪形画像の幅として算出することを特徴とするものである。
【００１１】
請求項５に記載の画像記録装置は、請求項４に記載の画像記録装置において、前記半径算出部は、前記内輪形画像の内半径を、前記記録ディスクの中心位置から内周縁までの長さとして算出し、前記内輪形画像の外半径を、前記内半径の長さと前記内輪形画像の幅との和として算出し、前記外輪形画像の外半径を、前記記録ディスクの中心位置から外周縁までの長さとして算出し、前記外輪形画像の内半径を、前記外半径の長さと前記外輪形画像の幅との差として算出することを特徴とするものである。
【００１２】
請求項６に記載の画像記録装置は、請求項４または５に記載の画像記録装置において、前記領域抽出部によって抽出された非記録領域に基づいて、記録ディスクのレーベル面の内周領域または外周領域に沿って非記録領域のみが存在するか否かを判断する領域判断部を備え、前記領域判断部によって、前記記録ディスクのレーベル面の内周領域または外周領域に沿って記録領域と非記録領域とが存在すると判断された場合は、前記輪形幅算出部は、前記記録ディスクの内周縁から中心方向とは反対方向において、記録ディスクのレーベル面の画像が記録されている記録領域に達するまでに存在する前記非記録領域の最大の長さを、前記内輪形画像の幅として算出し、前記記録ディスクの外周縁から中心方向において、記録ディスクのレーベル面の画像が記録されている記録領域に達するまでに存在する前記非記録領域の最大の長さを、前記外輪形画像の幅として算出し、前記領域判断部によって、前記記録ディスクのレーベル面の内周領域または外周領域に沿って非記録領域のみが存在すると判断された場合は、前記輪形幅算出部は、内周領域及び外周領域のそれぞれにおいて、最大の非記録領域の長さと最小の非記録領域の長さとの差を前記内輪形画像及び前記外輪形画像の幅として算出することを特徴とするものである。
【００１３】
請求項７に記載の画像記録装置は、請求項６に記載の画像記録装置において、前記半径算出部は、前記領域判断部によって、前記記録ディスクのレーベル面の内周領域または外周領域に沿って非記録領域のみが存在すると判断された場合は、前記内輪形画像の内半径を、前記記録ディスクの中心位置から内周縁までの長さと前記内周領域に存在する前記最小の非記録領域の長さとの和として算出し、前記内輪形画像の外半径を、前記内半径の長さと前記内輪形画像の幅との和として算出し、前記外輪形画像の外半径を、前記記録ディスクの中心位置から外周縁までの長さと前記外周領域に存在する前記最小の非記録領域の長さとの差として算出し、前記外輪形画像の内半径を、前記外半径の長さと前記外輪形画像の幅との差として算出することを特徴とするものである。
【発明の効果】
【００１４】
請求項１に記載の画像記録装置によれば、記録ディスクのレーベル面の画像が記録されていない非記録領域に基づいて、前記輪形画像の生成内容が算出され、その算出された生成内容に基づいて、前記記録ディスクに記録される輪形画像が生成される。よって、レーベル面の見栄えが悪い原因である非記録領域に基づいて、輪形画像が生成され、その輪形画像を記録ディスクのレーベル面に記録することで、レーベル面の見栄えを良くすることができる。
【００１５】
請求項２に記載の画像記録装置は、請求項１に記載の画像記録装置において、前記領域抽出部によって抽出された非記録領域に基づいて、前記輪形画像の生成内容が算出されるので、その生成内容に基づいて生成された輪形画像を記録ディスクに記録することで、レーベル面の見栄えを良くすることができる。
【００１６】
請求項３に記載の画像記録装置は、請求項２に記載の画像記録装置において、前記非記録領域に基づいて前記輪形画像の幅が算出され、前記非記録領域に基づいてレーベル面の中心位置からの前記輪形画像の内半径及び外半径が算出される。よって、記録ディスクに輪形画像が記録される場合に、非記録領域に基づいた適切な幅、内半径及び外半径の輪形画像が記録される。
【００１７】
請求項４に記載の画像記録装置は、請求項３に記載の画像記録装置において、前記輪形画像生成部は、前記記録ディスクのレーベル面の内周領域に記録される内輪形画像と外周領域に記録される外輪形画像との少なくとも一方を生成し、前記輪形幅算出部は、前記記録ディスクの内周縁から中心方向とは反対方向において、記録ディスクのレーベル面の画像が記録されている記録領域に達するまでに存在する前記非記録領域の最大の長さを、前記内輪形画像の幅として算出し、前記記録ディスクの外周縁から中心方向において、記録ディスクのレーベル面の画像が記録されている記録領域に達するまでに存在する前記非記録領域の最大の長さを、前記外輪形画像の幅として算出する。よって、非記録領域を全て塗りつぶすことができる前記内輪形画像及び前記外輪形画像を生成するので、その生成された内輪形画像及び外輪形画像を記録ディスクのレーベル面に記録することで、記録ディスクのレーベル面の見栄えを良くすることができる。
【００１８】
請求項５に記載の画像記録装置は、請求項４に記載の画像記録装置において、前記半径算出部は前記内輪形画像の内半径を、前記記録ディスクの中心位置から内周縁までの長さとして算出し、前記内輪形画像の外半径を、前記内半径の長さと前記内輪形画像の幅との和として算出し、前記外輪形画像の外半径を、前記記録ディスクの中心位置から外周縁までの長さとして算出し、前記外輪形画像の内半径を、前記外半径の長さと前記外輪形画像の幅との差として算出する。よって、記録ディスクのレーベル面の見栄えが良くなる適切な位置に記録される内輪形画像及び外輪形画像の内半径及び外半径を算出でき、その内輪形画像及び外輪形画像を記録ディスクのレーベル面に記録することで、レーベル面の見栄えを良くすることができる。
【００１９】
請求項６に記載の画像記録装置は、請求項４または５に記載の画像記録装置において、前記記録ディスクのレーベル面の内周領域または外周領域に沿って記録領域と非記録領域とが存在する場合は、前記輪形幅算出部は、前記記録ディスクの内周縁から中心方向とは反対方向において、記録ディスクのレーベル面の画像が記録されている記録領域に達するまでに存在する前記非記録領域の最大の長さを、前記内輪形画像の幅として算出し、前記記録ディスクの外周縁から中心方向において、記録ディスクのレーベル面の画像が記録されている記録領域に達するまでに存在する前記非記録領域の最大の長さを、前記外輪形画像の幅として算出し、前記記録ディスクのレーベル面の内周領域または外周領域に沿って非記録領域のみが存在する場合は、前記輪形幅算出部は、内周領域及び外周領域のそれぞれにおいて、最大の非記録領域の長さと最小の非記録領域の長さとの差を前記内輪形画像及び前記外輪形画像の幅として算出する。よって、記録ディスクのレーベル面の内周領域または外周領域の記録領域及び非記録領域の存在状況に応じて、適切な内輪形画像及び外輪形画像の幅を算出することができるので、記録ディスクのレーベル面の見栄えを良くすることができる。
【００２０】
請求項７に記載の画像記録装置は、請求項６に記載の画像記録装置において、前記記録ディスクのレーベル面の内周領域または外周領域に沿って非記録領域のみが存在する場合は、前記内輪形画像の内半径を、前記記録ディスクの中心位置から内周縁までの長さと前記内周領域に存在する前記最小の非記録領域の長さとの和として算出し、前記内輪形画像の外半径を、前記内半径の長さと前記内輪形画像の幅との和として算出し、前記外輪形画像の外半径を、前記記録ディスクの中心位置から外周縁までの長さと前記外周領域に存在する前記最小の非記録領域の長さとの差として算出し、前記外輪形画像の内半径を、前記外半径の長さと前記外輪形画像の幅との差として算出する。よって、記録ディスクのレーベル面の見栄えが良くなる適切な位置に記録される内輪形画像及び外輪形画像の内半径及び外半径を算出でき、その内輪形画像及び外輪形画像を記録ディスクのレーベル面に記録することで、レーベル面の見栄えを良くすることができる。
【図面の簡単な説明】
【００２１】
【図１】本発明の実施形態における画像記録装置の外観的構成を示した斜視図である。
【図２】図１に示すプリンタ部の内部構造の縦断面図である。
【図３】図１に示すディスクトレイの平面図である。
【図４】画像記録装置の電気的構成を示すブロック部である。
【図５】画像記録装置のメイン処理を示すフローチャートである。
【図６】画像記録装置のレーベル面読取処理を示すフローチャートである。
【図７】画像記録装置の内輪形幅設定処理を示すフローチャートである。
【図８】画像記録装置の外輪形幅設定処理を示すフローチャートである。
【図９】画像記録装置の内輪形画像生成処理を示すフローチャートである。
【図１０】画像記録装置の外輪形画像生成処理を示すフローチャートである。
【図１１】ディスクトレイ上に記録ディスクが載置された状態を示す平面図である。
【図１２】記録ディスクのレーベル面を、光学センサを介して読み込んだ際に、内周領域及び外周領域に記録領域と非記録領域が存在する場合のレーベル画像データを概念的に示す図である。
【図１３】記録ディスクのレーベル面を、光学センサを介して読み込んだ際に、内周領域及び外周領域全体に非記録領域がリング状に存在する場合のレーベル画像データを概念的に示す図である。
【図１４】レーベル画像データと輪形画像とが合成された合成画像の内容を概念的に示す図である。
【図１５】レーベル画像データと輪形画像とが合成された合成画像の内容を概念的に示す図である。
【発明を実施するための形態】
【００２２】
本発明を多機能型の画像記録装置に適用した実施形態について、添付資料を参照して以下に説明する。多機能型の画像記録装置は、プリンタ機能、スキャナ機能、及び、コピー機能等を備えており、公知なものである。
【００２３】
＜外観的構成＞
図１は、本実施形態の画像記録装置１０の外観的構成を示す斜視図である。以下の説明において、図１の画像記録装置１０の手前側を前側とし、矢印左右で示す方向を左右方向（主走査方向）とし、矢印前後で示す方向を前後方向（副走査方向）とし、矢印上下で示す方向を上下方向とする。
【００２４】
画像記録装置１０は、記録ディスクＤのレーベル面に、インクジェット方式で画像を記録可能に構成されている。記録ディスクＤのレーベル面に画像を記録する場合には、図１に示すように、着脱式のディスクトレイＴＲに記録ディスクＤが載置された状態で、そのディスクトレイＴＲがユーザによって、開口部１３に副走査方向（前後方向）に挿入される。尚、記録ディスクＤとしては、例えば、Ｃｏｍｐａｃｔ  Ｄｉｓｋ（以下、「ＣＤ」と称す）や、Ｄｉｇｉｔａｌ  Ｖｅｒｓａｔｉｌｅ  Ｄｉｓｋ（以下、「ＤＶＤ」と称す）や、Ｂｌｕ−ｒａｙ  Ｄｉｓｋ（以下、「ＢＤ」と称す）などが該当する。この様な記録ディスクＤは、直径１２０ｍｍの円形型のディスクであり、中心部には回転駆動を行うための開口穴が設けられている。このサイズが最も広く普及しているが、更に小さい直径８０ｍｍのサイズのものも流通している。尚、本実施形態では、記録ディスクＤのサイズを直径１２０ｍｍとして説明する。また、記録ディスクＤのレーベル面とは、後述する記録ヘッド３３により、画像が記録できる領域のことである。また、内周領域とは、後述する図１１に示す記録ディスクＤの内周縁ＳＥ１に近いレーベル面の領域とし、外周領域とは、後述する図１１に示す記録ディスクＤの外周縁ＳＥ２に近いレーベル面の領域とする。
【００２５】
この画像記録装置１０は、特に、記録ディスクＤのレーベル面に、後述する輪形画像を記録することで、記録ディスクＤのレーベル面の見栄えを良くすることができるものである。
【００２６】
図１に示すように、画像記録装置１は、主に、下部に設けられるプリンタ部１１と、上部に設けられるスキャナ部１２と、正面上部に設けられる操作パネル部１４とを備えている。プリンタ部１１は、記録用紙Ｐに画像を記録するインクジェット方式のプリンタで構成されており、Ｃ（シアン）、Ｍ（マゼンダ）、Ｙ（イエロー）、Ｋ（ブラック）の４色のインクを使用して、カラー印刷を行うものである。構成の詳細については、図２を参照して後述する。
【００２７】
プリンタ部１１の正面には、開口部１３が形成されている。この開口部１３に給紙トレイ２０及び排紙トレイ２１が上下２段に設けられている。給紙トレイ２０は、記録用紙Ｐを積載するためのものである。この給紙トレイ２０に積載された記録用紙Ｐは、プリンタ部１１の内部へ給送され、所望の画像が記録された後に排紙トレイ２１へ排出されるようになっている。
【００２８】
スキャナ部１２は、フラットベッドタイプのスキャナである。原稿カバー１２ａは、画像記録装置１０の天板として設けられている。その原稿カバー１２ａの下には、図示しないプラテンガラスが配置されている。原稿を読み取る場合は、原稿は、プラテンガラス上に載置され、原稿カバー１２ａに覆われた状態でスキャナ部１２に読み取られる。
【００２９】
操作パネル部１４は、プリンタ部１１やスキャナ部１２を操作するためのものであって、操作キー部１５とＬＣＤ等の表示部１６とで構成されている。操作キー部１５は、数字ボタンやスタートボタン、機能操作ボタン等の各種のボタンを備えている。表示部１６は、ユーザが実行する機能を指示するための機能選択画面を表示することができる。
【００３０】
ユーザは、操作キー部１５の各種ボタンを操作することで、各種機能の設定や動作を実行することができる。例えば、画像を記録する媒体の種類（記録用紙Ｐ又は記録ディスクＤ）及びサイズの設定や、解像度（ドラフトモード又はフォトモード）の設定を、操作パネル部１４を介して指示することができる。
【００３１】
＜内部構成＞
次に、プリンタ部１１の内部構成について、図２を参照して略述する。図２は、図１に示すプリンタ部１１の内部構造の縦断面図である。
【００３２】
プリンタ部１１には、給紙トレイ２０内に積載されている記録用紙Ｐに当接して搬送路２５へ搬送する給紙ローラ２８が配置されている。その記録用紙Ｐを給紙ローラ２８に圧接させるホッパ２７が、給紙トレイ２０内に設けられている。
【００３３】
排紙トレイ２１の上方には、排紙トレイ２１上に載置されたディスクトレイＴＲを搬送路２５へ搬送するトレイ搬送ローラ２９が配置されている。トレイ搬送ローラ２９の後方には、トレイ搬送ローラ２９によって搬送されたディスクトレイＴＲを矢印Ａ方向にさらに搬送する搬送ローラ３１、３２と排出ローラ３８、３９とが配置されている。搬送ローラ３１、３２と排出ローラ３８、３９との間には、搬送ローラ３１、３２によって搬送されるディスクトレイＴＲ（又は記録用紙Ｐ）を支持するプラテン３５が配置されている。
プラテン３５の上方には、記録ヘッド３４が配置されている。記録ヘッド３４は、左右方向（主走査方向）に往復移動可能なキャリッジ３３に装着されている。また、キャリッジ３３には光学式の光学センサ３６が搭載されている。光学センサ３６は、記録媒体に向けて光を照射する発光部と、その発光部により照射された光が記録媒体に反射した反射光を検知して電気信号に変換する受光部とを備え、記録ディスクＤの中心位置を算出したり、記録ディスクＤのレーベル面全体を読み取ったりするための光学センサとして使用することができる。キャリッジ３３は、ガイド軸４１、４２によって主走査方向に移動可能に支持されている。プラテン３５の下方には、記録ヘッド３４に供給するインクが貯留されるインクカートリッジユニットが配置されている。
【００３４】
（ディスクトレイＴＲの構成）
ディスクトレイＴＲの構成について、図３を参照して説明する。図３は、記録ディスクＤを載置するディスクトレイＴＲを示す平面図である。
【００３５】
ディスクトレイＴＲは、樹脂材料等を成型した平板状のトレイであり、直径１２０ｍｍの記録ディスクＤを載置するための第１ディスク載置部としての第１の円形凹部４１が上面に形成されており、第１の円形凹部４１の中央部にさらに８０ｍｍの記録ディスクＤを載置するための第２ディスク載置部としての第２の円形凹部４２が形成されている。
【００３６】
また、このディスクトレイＴＲ上には、光学センサ３６の走査によって検知されることで、記録ディスクＤの中心位置を算出するための、トレイ検出マークＭＫ１、ＭＫ２、ＭＫ３、ＭＫ４（以下、ＭＫ１〜ＭＫ４と称す）が形成されている。両位置マーク間を主走査方向走査ラインＴＳＣＮ１に並行に結ぶ線分の垂直２等分線がディスクトレイＴＲのディスク載置部４１の中心を通過するように配設されている２個のトレイ検出マークＭ１、Ｍ２と、副走査方向（前後方向）における光学センサ３６の副走査方向走査ラインＴＳＣＮ２上に位置する２個のトレイ検出マークであって、両位置マーク間を副走査方向走査ラインＴＳＣＮ２に並行に結ぶ線分の垂直２等分線がディスクトレイＴＲのディスク載置部４１の中心を通過するように配設されている２個のトレイ検出マークＭ３、Ｍ４とから構成されている。
【００３７】
記録ディスクＤの中心位置の算出方法の詳細については後述するが、このプリンタ部１１では、記録ディスクＤのレーベル面に画像を記録する場合、ユーザがディスク載置部４１に直径１２０ｍｍの記録ディスクＤを載置して、そのディスクトレイＴＲを開口部１３に挿入し、排紙トレイ２１上に載置する。すると、ディスクトレイＴＲがトレイ搬送ローラ２９により、図２に示す矢印Ａ方向にそって搬送路２５に搬送される。
【００３８】
その後、搬送ローラ３１、３２によって、ディスクトレイＴＲがプラテン３５と記録ヘッド３４との間まで搬送されると、まず始めに、ディスクトレイＴＲを走査して、キャリッジ３３に搭載された光学センサ３６により、トレイ検出マークＭＫ１〜ＭＫ４が、読み取られる。
【００３９】
この光学センサ３６による走査の結果に基づいて、記録ディスクＤの中心位置を算出することができる。
【００４０】
＜電気的構成＞
次に、図４を参照して、画像記録装置１０の電気的構成について説明する。図４は、画像記録装置１０の電気的構成を示すブロック図である。図４に示すように、画像記録装置１０は、ＣＰＵ８１、ＲＯＭ８２、ＲＡＭ８３、プリンタ部１１、スキャナ部１２、及び、操作パネル部４０を主に有している。
【００４１】
ＣＰＵ８１、ＲＯＭ８２、及び、ＲＡＭ８３は、バスライン８４を介して互いに接続されている。また、プリンタ部１１、スキャナ部１２、操作パネル部１４、及び、バスライン８４は、入出力ポート（ＡＳＩＣ）８５を介して互いに接続されている。
【００４２】
ＣＰＵ８１は、ＲＯＭ８２やＲＡＭ８３に記憶さている固定値やプログラムに従って、画像記録装置１０が有している各機能の制御や、入出力ポート８５と接続された各部を制御するものである。
【００４３】
ＲＯＭ８２は、画像記録装置１０で実行される制御プログラムなどを格納した書換不能なメモリである。例えば、図５のフローチャートに示す記録ディスクＤのレーベル面に輪形画像を記録するメイン処理、図６の記録ディスクＤのレーベル面を読み取るレーベル面読取処理、図７の内輪形画像の幅を設定する内輪形幅設定処理、図８の外輪形画像の幅を設定する外輪形幅設定処理、図９の内輪形画像を生成する内輪形画像生成処理、図１０の外輪形画像を生成する外輪形画像生成処理を画像記録装置１０に実行させるプログラムは、このＲＯＭ８２に格納されている。
【００４４】
ＲＡＭ８３は、ＣＰＵ８１が各プログラムを実行する際に用いる各種データを一時的に記憶する記憶領域として、また作業領域として用いられる。またＲＡＭ８３には、ディスク中心位置メモリ８３ａ、レーベル画像データメモリ８３ｂ、ディスクサイズメモリ８３ｃ、内輪形幅メモリ８３ｄ、外輪形幅メモリ８３ｅ、内半径メモリ８３ｆ、内輪形画像生成データメモリ８３ｇ、外半径メモリ８３ｈ、外輪形画像生成データメモリ８３ｉ、合成画像データメモリ８３ｊの各記憶領域が割り当てられている。
【００４５】
ディスク中心位置メモリ８３ａは、ディスクトレイＴＲ上に載置された記録ディスクＤの中心位置を一時的に記憶する領域である。レーベル画像データメモリ８３ｂは、記録ディスクＤのレーベル面全体の画像を一時的に記憶する領域である。ディスクサイズメモリ８３ｃは、記録ディスクＤの直径を一時的に記憶する領域である。内輪形幅メモリ８３ｄは、記録ディスクＤの内周領域に記録される内輪形画像の幅を一時的に記憶する領域である。外輪形幅メモリ８３ｅは、記録ディスクＤの外周領域に記録される外輪形画像の幅を一時的に記憶する領域である。内半径メモリ８３ｆは、内輪形画像の半径を一時的に記憶する領域である。内輪形画像生成データメモリ８３ｇは、内輪形幅メモリ８３ｄに記憶されている内輪形画像の幅と、内半径メモリ８３ｆに記憶されている内輪形画像の半径とで生成された内輪形画像を一時的に記憶する領域である。外半径メモリ８３ｈは、外輪形画像の半径を一時的に記憶する領域である。外輪形画像生成データメモリ８３ｉは、外輪形幅メモリ８３ｅに記憶されている外輪形画像の幅と、外半径メモリ８３ｈに記憶されている外輪形画像の半径とで生成された外輪形画像を一時的に記憶する領域である。合成画像データメモリ８３ｊは、レーベル画像データメモリ８３ｂに記憶されている記録ディスクＤのレーベル面全体の画像と、内輪形画像生成データメモリ８３ｇに記憶されている内輪形画像と、外輪形画像生成データメモリ８３ｉに記憶されている外輪形画像とを合成した合成画像を一時的に記憶する領域である。
【００４６】
入出力ポート８５は、ＣＰＵ８１からの指令に従い、接続されているプリンタ部１１等の周辺機器を制御するものである。
【００４７】
プリンタ部１１は、入出力ポート８５からの画像記録指令信号により、記録媒体（記録用紙Ｐ又は記録ディスクＤ）に画像を記録する。スキャナ部１２は、入出力ポート８５からの読取指令信号により、原稿の画像を読み取り、読み取った画像データを入出力ポート８５に出力する。操作パネル部１４は、入出力ポート８５からの検知指令信号により、操作パネル部１４の操作キー部１５の操作状態を検知し、その検知された操作データを入出力ポート８５に出力する。また、操作パネル部１４は、入出力ポート８５からの指示命令信号により、表示部１６に画像表示データを供給する。
【００４８】
＜実施形態の動作＞
次に、本実施形態の画像記録装置１０の動作について、図５乃至図１５を参照して説明する。ここで、図１１は、ディスクトレイＴＲ上に記録ディスクＤが載置された状態を示す平面図である。図１２は、光学センサ３６によって読み取られて、ＲＡＭ８３のレーベル画像データメモリ８３ｂに記憶されている、記録ディスクＤのレーベル面の内周領域及び外周領域に記録領域ＫＲと非記録領域ＨＲが存在する場合のレーベル画像データＲＧ１を概念的に示す図である。図１３は、光学センサ３６によって読み取られて、ＲＡＭ８３のレーベル画像データメモリ８３ｂに記憶されている、記録ディスクＤのレーベル面の内周領域及び外周領域に非記録領域ＨＲがリング状存在する場合のレーベル画像データＲＧ２を概念的に示す図である。図１４は、合成画像データメモリに記憶されている、レーベル画像データＲ１と輪形画像とが合成された合成画像の内容を概念的に示す図である。図１５は、合成画像データメモリに記憶されている、レーベル画像データＲ２と輪形画像とが合成された合成画像の内容を概念的に示す図である。
【００４９】
（メイン処理）
まず、図５を参照して、画像記録装置１０のＣＰＵ８１により実行されるメイン処理について説明する。図５は、画像記録装置１０のメイン処理を示すフローチャートである。
【００５０】
このメイン処理は、ユーザによる操作パネル部１４の操作を介して、プリンタ機能、スキャナ機能、及び、コピー機能等の各種機能、プリント機能が選択された場合に実行される処理である。特に、メイン処理では、レーベル面の中からずれて画像が一度記録された記録ディスクＤの内周領域または外周領域に対して、輪形の輪形画像を形成することで、記録ディスクＤのレーベル面の見栄えを良くするための処理を含んでいる。
【００５１】
このメイン処理では、まず、レーベル再記録モードが選択されたかが判断される（ステップ１、以下ステップをＳと記す）。本実施形態では、ユーザによってプリント機能が選択されると、表示部１６には、レーベル再記録モード、レーベル記録モード、通常記録モード等のプリント種別を選択する要求が表示され、その中からレーベル再記録モードが選択されたかが判断される。レーベル再記録モードが選択されない場合には（Ｓ１：ＮＯ）、メイン処理は終了する。
【００５２】
一方、レーベル再記録モードが選択されると（Ｓ１：ＹＥＳ）、まず、排紙トレイ２１上に載置されているディスクトレイＴＲを取り込む（Ｓ２）。そして、光学センサ３６がトレイ検出マークＭＫ１〜ＭＫ４の読み取りを行う所定位置まで、ディスクトレイＴＲを取り込んだら、ディスクトレイＴＲ及び光学センサ３６の走査によりディスクトレイＴＲ上のトレイ検出マークＭＫ１〜ＭＫ４を読み取る（Ｓ３）。読み取ったトレイ検出マークＭＫから、記録ディスクＤの中心位置Ｔを算出する（Ｓ４）。ステップＳ４は、本発明の中心演算部の一例である。
【００５３】
ここで、記録ディスクＤの中心位置Ｔを算出する過程を図３を参照して示す。まず、主走査方向走査ラインＴＳＣＮ１に沿って光学センサ３６によるディスクトレイＴＲの走査を行い、主走査方向走査ラインＴＳＣＮ１上に位置するディスクトレイＴＲのトレイ検出マークＭＫ１及びＭＫ２のＸ座標（主走査方向座標）ＴＸ１、ＴＸ２を検出し、且つ、トレイ検出マークＭＫ１とトレイ検出マークＭＫ２とを結ぶ線分の中点のＸ座標ＴＸ＝（ＴＸ１＋ＴＸ２）／２を算出する。
【００５４】
また、主走査方向走査ラインＴＳＣＮ１に直交する副走査方向走査ラインＴＳＣＮ２に沿っても同様に光学センサ３６によるディスクトレイＴＲの走査を行い、副走査方向走査ラインＴＳＣＮ２上に位置するディスクトレイＴＲのトレイ検出マークＭＫ３及びＭＫ４のＹ座標（主走査方向座標）ＴＹ１、ＴＹ２を検出し、且つ、トレイ検出マークＭＫ３とトレイ検出マークＭＫ４とを結ぶ線分の中点のＸ座標ＴＹ＝（ＴＹ１＋ＴＹ２）／２を算出する。
【００５５】
主走査方向走査ラインＴＳＣＮ１上におけるトレイ検出マークＭＫ１とトレイ検出マークＭＫ２とを結ぶ線分の垂直二等分線と、副走査方向走査ラインＴＳＣＮ２上におけるトレイ検出マークＭＫ３とトレイ検出マークＭＫ４とを結ぶ線分の垂直二等分線との交点座標を特定すると、その交点がディスクトレイＴＲのディスク載置部４１の中心ということになる。
【００５６】
このディスク載置部４１の中心位置の座標は、トレイ検出マークＭＫ１とトレイ検出マークＭＫ２とを結ぶ線分の中点のＸ座標ＴＸ＝（ＴＸ１＋ＴＸ２）／２と、トレイ検出マークＭＫ３とトレイ検出マークＭＫ４とを結ぶ線分の中点のＹ座標ＴＹ＝（ＴＹ１＋ＴＹ２）／２とを組み合わせたものである。
【００５７】
従って、上述のように、主走査方向走査ラインＴＳＣＮ１上に位置するディスクトレイＴＲのトレイ検出マークＭＫ１及びＭＫ２のＸ座標ＴＸ１、ＴＸ２、並びに、副走査方向走査ラインＴＳＣＮ２上に位置するディスクトレイＴＲのトレイ検出マークＭＫ３及びＭＫ４のＹ座標ＴＹ１、ＴＹ２を検出することにより、ディスク載置部４１の中心位置の座標を算出することができる。
【００５８】
そして、ディスク載置部４１の中心位置の座標を記録ディスクＤの中心位置の座標とみなして、記録ディスクＤの中心Ｔとして決定する。決定した記録ディスクＤの中心位置Ｔの座標は、レーベル面を記録する際の位置制御の基準として使用する。その決定された記録ディスクＤの中心位置がディスク中心位置メモリ８３ａに記憶される（Ｓ５）。
【００５９】
尚、主走査方向走査ラインＴＳＣＮ１の走査と副走査方向走査ラインＴＳＣＮ２の走査は、いずれを先に行ってもよく、順不同である。主走査方向走査ラインＴＳＣＮ１に沿った光学センサ３６による走査は、ディスクトレイＴＲを停止させた状態で、光学センサ３６が搭載されているキャリッジ３３を主走査方向に駆動することによって行う。また、副走査方向走査ラインＴＳＣＮ２に沿った光学センサ３６による走査は、光学センサ３６が搭載されているキャリッジ３３をトレイ検出マークＭＫ１とトレイ検出マークＭＫ２とを結ぶ線分の中点位置に停止させ、トレイ搬送ローラ２９、搬送ローラ３１、３２及び排出ローラ３８、３９によって、ディスクトレイＴＲを副走査方向（図２でＡ方向）に移動させることにより行う。
【００６０】
記録ディスクＤの中心位置Ｔを算出する形態においては、上述したものに限らず、ディスク載置部４１の中心位置を、光学センサ３６の走査により検出可能なものであればよい。例えば、光学センサ３６によって、ディスク載置部４１に載置された記録ディスクＤを直接走査することにより、ディスク載置部４１の中心位置を算出するようにしてもよい。
【００６１】
記録ディスクＤのレーベル面の画像が記録されている記録領域と画像が記録されていない非記録領域とを抽出するために、図６に示すとおりレーベル面全体を読み取るレーベル面読取処理が実行される（Ｓ６）。レーベル面読取処理の詳細については、後述する。
【００６２】
ステップＳ６の読み取り結果から抽出された非記録領域に基づいて、図７に示すとおり記録ディスクＤのレーベル面の内周領域に記録される内輪形画像の幅を設定する内輪形幅設定処理が実行される（Ｓ７）。内輪形幅設定処理の詳細については、後述する。内輪形幅設定処理は、本発明の輪形幅算出部の一例である。
【００６３】
ステップＳ６の読み取り結果から抽出された非記録領域に基づいて、図８に示すとおり記録ディスクＤのレーベル面の外周領域に記録される外輪形画像の幅を設定する外輪形幅設定処理が実行される（Ｓ８）。外輪形幅設定処理の詳細については、後述する。外輪形幅設定処理は、本発明の輪形幅算出部の一例である。
【００６４】
次に、図９に示すとおり、記録ディスクＤのレーベル面に記録される内輪形画像を生成する内輪形画像生成処理が実行される（Ｓ９）。内輪形画像生成処理については、後述する。内輪形画像生成処理は、本発明の輪形画像生成処理の一例である。
【００６５】
次に、図１０に示すとおり、記録ディスクＤのレーベル面に記録される外輪形画像を生成する図１０に示す外輪形画像生成処理が実行される（Ｓ１０）。外輪形画像生成処理については、後述する。外輪形画像生成処理は、本発明の輪形画像生成処理の一例である。
【００６６】
こうして、ステップＳ６で読み取った記録ディスクＤのレーベル面全体の画像と、ステップＳ７〜Ｓ１０で設定された設定内容に基づいて生成された内輪形画像と外輪形画像とを合成した合成画像が作成される（Ｓ１１）。図１４及び図１５に示すような合成画像が合成画像データメモリ８３ｊに記憶される（Ｓ１２）。
【００６７】
次に、合成画像データメモリ８３ｊに記録されている合成画像が表示部１６に表示される（Ｓ１３）。ユーザが操作パネル部１５を介して「記録ＯＫ」を入力したが否かが判断される（Ｓ１４）。「記録ＯＫ」の入力がない場合には（Ｓ１４：ＮＯ）、ステップＳ７からの処理が繰り返され、「記録ＯＫ」の入力があった場合には（Ｓ１４：ＹＥＳ）、ディスク中心位置メモリ８３ａに記憶されている記録ディスクＤの中心位置Ｔを基準として、記録ディスクＤのレーベル面に黒色の内輪形画像と外輪形画像とが記録される（Ｓ１５）。
【００６８】
画像記録が開始されると、記録ヘッド３４から記録ディスクＤのレーベル面に向かってインクが吐出されつつ、キャリッジ３３が主走査方向（左右方向）に移動される。これにより、記録ディスクＤのレーベル面における主走査方向（左右方向）に、１ライン分の画像が記録される。そして、この搬送ローラ３１、３２によるディスクトレイＴＲの搬送と、インクの吐出とが繰り返されて、記録ディスクＤのレーベル面全体に画像が記録される。尚、ディスクトレイＴＲが排出ローラ３８、３９まで到達すると、ディスクトレイＴＲは、搬送ローラ３１、３２及び排出ローラ３８、３９の各ローラによって搬送される。
【００６９】
記録ディスクＤのレーベル面全体に画像が記録されると、排出ローラ３８、３９、搬送ローラ３１、３２及びトレイ搬送ローラ２９がそれぞれ逆転駆動され、ディスクトレイＴＲが搬送路２５を矢印Ｂ方向に搬送され、排紙トレイ２１上に排出される（Ｓ１６）。そして、メイン処理が終了する。
【００７０】
（レーベル面読取処理）
画像記録装置１０のレーベル面読取処理の詳細について、図６を参照して説明する。図６は、ステップＳ６にて実行されるレーベル面読取処理の詳細を示すフローチャートである。
【００７１】
このレーベル面抽出処理では、まず、ディスクトレイＴＲを副走査方向に搬送し、且つ、キャリッジ３３を主走査方向に所定範囲にわたって複数回往復移動させる（Ｓ２１）。キャリッジ３３に搭載された光学センサ３６により、レーベル面全体が読み取られる（Ｓ２２）。
【００７２】
ここで、ステップＳ２２において行われるレーベル面の読み取り方法について詳述する。光学センサ３６の発光部から出射された照射された照射光は、記録ディスクＤにより反射され、その反射光の拡散反射成分が受光部に到達する。受光部は、検出した反射光の強度に応じた電気信号を発生し、出力信号として出力する。
【００７３】
例えば、図１１に示す記録ディスクＤがディスクトレイＴＲ上のディスク載置部４１に載置された場合に、ディスクトレイＴＲを副走査方向に搬送し、且つ、キャリッジ３３を主走査方向に所定範囲にわたって複数回往復移動させていくと、光学センサ３６が記録ディスクＤ周囲のディスクトレイＴＲの表面を走査している間は、出力信号がＶ１として出力される。光学センサ３６の走査が記録ディスクＤのレーベル面の位置まで移行すると、記録ディスクＤのレーベル面からの反射光の強度はディスクトレイＴＲからの反射光の強度と異なる。すなわち、記録ディスクＤのレーベル面の画像が記録されていない非記録領域ＨＲでは、出力信号がＶ２として出力される。また、記録ディスクＤのレーベル面の画像が記録されている記録領域ＫＲにおいては、ディスクトレイＴＲ及び非記録領域ＨＲとは異なった出力信号Ｖ３が出力される。
【００７４】
この異なる出力信号Ｖ１〜Ｖ３により、各領域が区別でき、記録ディスクＤのレーベル面を読み取ることができる。尚、記録領域ＫＲに記録されている画像が様々な色により記載されている場合があるが、ディスクトレイＴＲ及び非記録領域ＨＲの強度は常に一定であるため領域を区別できる。よって、出力信号Ｖ１、Ｖ２以外の出力信号Ｖ３、Ｖ４・・・が記録領域ＫＲと判断できる。
【００７５】
読み取った記録ディスクＤのレーベル面をレーベル画像データとしてレーベル画像データメモリ８３ｂに記憶する（Ｓ２３）。レーベル面全体の読み取りにより、記録ディスクＤのサイズが検知され、記録ディスクＤのサイズがディスクサイズメモリ８３ｃに記憶される（Ｓ２４）。こうして、記録ディスクＤのレーベル面全体が読み取られ、レーベル面読取処理が終了する。
【００７６】
（内輪形幅設定処理）
画像記録装置１０の内輪形幅設定処理の詳細について、図７を参照して説明する。図７は、ステップＳ７にて実行される内輪形幅設定処理の詳細を示すフローチャートである。
【００７７】
この内輪形幅設定処理では、まず、ユーザによって自動幅設定が選択されるか否かが判断される（Ｓ３１）。自動幅設定が選択されると（Ｓ３１：ＹＥＳ）、レーベル画像データメモリ８３ｂに記憶されているレーベル画像データから、レーベル面の画像が記憶されていない非記録領域のみが記録ディスクＤのレーベル面の内周領域に沿って存在するかが判断される（Ｓ３２）。レーベル面の内周領域に沿って記録領域と非記録領域とが存在すると判断されると（Ｓ３２：ＮＯ）、記録ディスクＤのレーベル面の内周領域に記録される内輪形画像の輪形幅が、非記録領域の最大の長さに設定される（Ｓ３３）。
【００７８】
ここで、図１２を参照して、内輪形画像の輪形幅が非記録領域の最大の長さに設定される場合について説明する。例えば、レーベル画像データメモリ８３ｂに、図１２に示すレーベル画像データＲＧ１が記憶されている場合に、レーベル面の中心位置Ｔを原点として座標をとると、まず、レーベル面の中心位置Ｔからレーベル面の外周までの直線中におけるレーベル面の内周上の点Ｍと画像が記録されている記録領域ＫＲの内周上の点Ｎとを結ぶ直線Ｍ−Ｎ線（Ｍ１−Ｎ１線、Ｍ２−Ｎ２線、Ｍ３−Ｎ３線等）が抽出される。このＭ−Ｎ線が抽出されれば非記録領域ＨＲ１が存在することが分かり、そのＭ−Ｎ線の長さが非記録領域ＨＲ１の幅として認識される。そして、抽出されたＭ−Ｎ線がレーベル面の内周領域全てに沿ってリング状に存在するか否かが判断される。このレーベル画像データＲＧ１は、レーベル面の内周領域において、点Ｍと点Ｎとが重なる領域がありＭ−Ｎ線が抽出されない箇所がある。このとき、ステップ３２において、レーベル面の内周領域に沿って記録領域ＫＲと非記録領域ＨＲ１とが存在すると判断される（Ｓ３２：ＮＯ）。このような場合にレーベル面の見栄えを良くする為には、非記録領域ＨＲ１を全て無くすように内輪形画像を記録すればよい。よって、抽出されたＭ−Ｎ線の中で長さが最大の直線がＭ１−Ｎ１線だとすると、非記録領域ＨＲ１の最大の幅がＭ１−Ｎ１線の長さとなる。非記録領域ＨＲ１の最大の幅をＬ１と定義すると、内輪形画像の輪形幅はＬ１に設定される。尚、抽出されるＭ−Ｎ線は上述した３線以外にも抽出されており、抽出される間隔は内周上において点Ｍが５ｍｍ間隔となるようにＭ−Ｎ線が抽出される。
【００７９】
ステップＳ３３によって設定された内輪形画像の輪形幅が内輪形幅メモリ８３ｄに記憶され（Ｓ３４）、内輪形幅設定処理が終了する。
【００８０】
レーベル面の内周領域全てに沿って非記録領域が存在すると判断されると（Ｓ３２：ＹＥＳ）、記録ディスクＤのレーベル面の内周領域に記録される内輪形画像の輪形幅が、非記録領域の最大の長さと最小の長さとの差として設定される（Ｓ３５）。
【００８１】
ここで、図１３を参照して、内輪形画像の輪形幅が非記録領域の最大の長さと最小の長さとの差に設定される場合について説明する。例えば、レーベル画像データメモリ８３ｂに、図１３に示すレーベル画像データＲＧ２が記憶されている場合に、レーベル面の中心位置Ｔを原点として座標をとると、まず、レーベル面の中心位置Ｔからレーベル面の外周までの直線中におけるレーベル面の内周上の点Ｍと画像が記録されている記録領域ＫＲの内周上の点Ｎとを結ぶ直線Ｍ−Ｎ線（Ｍ４−Ｎ４線、Ｍ５−Ｎ５線、Ｍ６−Ｎ６線等）が抽出される。このＭ−Ｎ線が抽出されれば非記録領域ＨＲ１が存在することが分かり、そのＭ−Ｎ線の長さが非記録領域ＨＲ１の幅として認識される。そして、抽出されたＭ−Ｎ線のみがレーベル面の内周領域全てに沿ってリング状に存在するか否かが判断される。このレーベル画像データＲＧ２は、レーベル面の内周領域全てに沿ってＭ−Ｎ線が抽出される。このとき、ステップ３２において、レーベル面の内周領域に沿って非記録領域ＨＲ１のみが存在すると判断されると（Ｓ３２：ＹＥＳ）。このような場合にレーベル面の見栄えを良くする為には、非記録領域ＨＲ１の最大の幅を最小の幅と同じになるように内輪形画像を記録してあげればよい。よって、抽出されたＭ−Ｎ線の中で、長さが最大の直線がＭ４−Ｎ４線、最小の直線がＭ５−Ｎ５線だとすると、非記録領域ＨＲ１の最大の幅がＭ４−Ｎ４線の長さ、非記録領域ＨＲ１の最小の幅がＭ５−Ｎ５線の長さとなる。非記録領域ＨＲ１の最大の幅をＬ３、最小の幅をＬ４と定義すると、内輪形画像の輪形幅は（Ｌ３−Ｌ４）に設定される。尚、抽出されるＭ−Ｎ線は上述した３線以外にも抽出されており、抽出される間隔は内周上において点Ｍが５ｍｍ間隔となるようにＭ−Ｎ線が抽出される。
【００８２】
ステップＳ３５によって設定された内輪形画像の輪形幅が内輪形幅メモリ８３ｄに記憶され（Ｓ３４）、内輪形幅設定処理が終了する。
ステップＳ３１において、ユーザによって自動幅設定が選択されなければ（Ｓ３１：ＮＯ）、ユーザが操作パネル部１４を介して内輪形画像の輪形幅を設定する（Ｓ３７）。このときユーザは、内輪形画像の輪形幅の大小を調節できる。設定された内輪形画像の輪形幅が内輪形幅メモリ８３ｄに記憶され（Ｓ３４）、内輪形幅設定処理が終了する。
【００８３】
（外輪形幅設定処理）
画像記録装置１０の外輪形幅設定処理の詳細について、図８を参照して説明する。図８は、ステップＳ８にて実行される外輪形幅設定処理の詳細を示すフローチャートである。
【００８４】
この外輪形幅設定処理では、まず、ユーザによって自動幅設定が選択されるか否かが判断される（Ｓ４１）。自動幅設定が選択されると（Ｓ４１：ＹＥＳ）、レーベル画像データメモリ８３ｂに記憶されているレーベル画像データから、レーベル面の画像が記録されていない非記録領域が記録ディスクＤのレーベル面の外周領域に沿って存在するかが判断される（Ｓ４２）。レーベル面の外周領域に沿って記録領域と非記録領域とが存在すると判断されると（Ｓ４２：ＮＯ）、記録ディスクＤのレーベル面の外周領域に記録される外輪形画像の輪形幅が、非記録領域の最大の長さに設定される（Ｓ４３）。
【００８５】
ここで、図１２を参照して、外輪形画像の輪形幅が非記録領域の最大の長さに設定される場合について説明する。例えば、レーベル画像データメモリ８３ｂに、図１２に示すレーベル画像データＲＧ１が記憶されている場合に、レーベル面の中心位置Ｔを原点として座標をとると、まず、レーベル面の中心位置Ｔからレーベル面の外周までの直線中におけるレーベル面の外周上の点Ｏと画像が記録されている記録領域ＫＲの外周上の点Ｐとを結ぶ直線Ｏ−Ｐ線（Ｏ１−Ｐ１線、Ｏ２−Ｐ２線、Ｏ３−Ｐ３線等）が抽出される。このＯ−Ｐ線が抽出されれば非記録領域ＨＲ２が存在することが分かり、そのＯ−Ｐ線の長さが非記録領域ＨＲ２の幅として認識される。そして、抽出されたＯ−Ｐ線のみがレーベル面の外周領域全てに沿ってリング状に存在するか否かが判断される。このレーベル画像データＲＧ２は、レーベル面の外周領域において、点Ｏと点Ｐとが重なる領域がありＯ−Ｐ線が抽出されない箇所がある。このとき、ステップ４２において、レーベル面の外周領域に沿って記録領域ＫＲと非記録領域ＨＲ２とが存在すると判断される（Ｓ４２：ＮＯ）。このような場合にレーベル面の見栄えを良くする為には、非記録領域ＨＲ２を全て無くすように外輪形画像を記録してあげればよい。よって、抽出されたＯ−Ｐ線の中で長さが最大の直線がＯ１−Ｐ１線だとすると、非記録領域ＨＲ２の最大の幅がＯ１−Ｐ１線の長さとなる。非記録領域ＨＲ２の最大の幅をＬ２と定義すると、外輪形画像の輪形幅はＬ２に設定される。尚、抽出されるＯ−Ｐ線は上述した３線以外にも抽出されており、抽出される間隔は外周上において点Ｏが５ｍｍ間隔となるようにＯ−Ｐ線が抽出される。
【００８６】
ステップＳ４３によって設定された外輪形画像の輪形幅が外輪形幅メモリ８３ｅに記憶され（Ｓ４４）、外輪形幅設定処理が終了する。
【００８７】
レーベル面の外周領域全てに沿って非記録領域がリング状に存在すると判断されると（Ｓ４２：ＹＥＳ）、記録ディスクＤのレーベル面の外周領域に記録される外輪形画像の輪形幅が、非記録領域の最大の長さと最小の長さとの差に設定される（Ｓ４５）。
【００８８】
ここで、図１３を参照して、外輪形画像の輪形幅が非記録領域の最大の長さと最小の長さとの差に設定される場合について説明する。例えば、レーベル画像データメモリ８３ｂに、図１３に示すレーベル画像データＲＧ２が記憶されている場合に、レーベル面の中心位置Ｔを原点として座標をとると、まず、レーベル面の中心位置Ｔからレーベル面の外周までの直線中におけるレーベル面の外周上の点Ｏと画像が記録されている記録領域ＫＲの内周上の点Ｐとを結ぶ直線Ｏ−Ｐ線（Ｏ４−Ｐ４線、Ｏ５−Ｐ５線、Ｏ６−Ｐ６線等）が抽出される。このＯ−Ｐ線が抽出されれば非記録領域ＨＲ２が存在することが分かり、そのＯ−Ｐ線の長さが非記録領域ＨＲ２の幅として認識される。そして、抽出されたＯ−Ｐ線のみがレーベル面の外周領域全てに沿ってリング状に存在するか否かが判断される。このレーベル画像データＲＧ２は、レーベル面の外周領域に沿ってＯ−Ｐ線が抽出される。このとき、ステップ４２において、レーベル面の外周領域に沿って非記録領域ＨＲ２のみが存在すると判断されると（Ｓ４２：ＹＥＳ）。このような場合にレーベル面の見栄えを良くする為には、非記録領域ＨＲ２の最大の幅を最小の幅と同じになるように内輪形画像を記録してあげればよい。よって、抽出されたＯ−Ｐ線の中で、長さが最大の直線がＯ４−Ｐ４線、最小の直線がＯ５−Ｐ５線だとすると、非記録領域ＨＲ２の最大の幅がＯ４−Ｐ４線の長さ、非記録領域ＨＲ２の最小の幅がＯ５−Ｐ５線の長さとなる。非記録領域ＨＲ２の最大の幅をＬ５、最小の幅をＬ６と定義すると、外輪形画像の輪形幅は（Ｌ３−Ｌ６）に設定される。尚、抽出されるＯ−Ｐ線は上述した３線以外にも抽出されており、抽出される間隔は外周上において点Ｏが５ｍｍ間隔となるようにＯ−Ｐ線が抽出される。
【００８９】
ステップＳ４５によって設定された外輪形画像の輪形幅が外輪形幅メモリ８３ｅに記憶され（Ｓ４４）、外輪形幅設定処理が終了する。
ステップＳ４１において、ユーザによって自動幅設定が選択されなければ（Ｓ４１：ＮＯ）、ユーザが操作パネル部１４を介して外輪形画像の輪形幅を設定する（Ｓ４７）。このときユーザは、内輪形画像の輪形幅の大小を調節できる。設定された外輪形画像の輪形幅が外輪形幅メモリ８３ｅに記憶され（Ｓ４４）、外輪形幅設定処理が終了する。
【００９０】
（内輪形画像生成処理）
画像記録装置１０の内輪形画像生成処理の詳細について、図９を参照して説明する。図９は、ステップＳ９にて実行される内輪形画像生成処理の詳細を示すフローチャートである。尚、ここでは、ステップＳ３１において自動幅設定が選択された（Ｓ３１：ＹＥＳ）として、生成される内輪形画像について説明する。
【００９１】
この内輪形画像生成処理では、まず、内輪形画像の半径が設定される（Ｓ５１）。例えば、図１２に示すような記録ディスクＤのレーベル面の場合は、非記録領域ＨＲ１が全て無くなるように内輪形画像を記録するので、内輪形画像の半径は非記録領域ＨＲ１の最大の長さＬ１に基づいて決定する。つまり、記録ディスクＤの中心Ｔから記録ディスクＤの内周縁ＳＥ１までの距離がＲ１とすると、内輪形画像の半径は（Ｒ１＋Ｌ１）と設定される。また、図１３に示すような記録ディスクＤのレーベル面の場合は、非記録領域ＨＲ１の最大の長さＬ３が最小の長さＬ４と同じになるように内輪形画像を記録するので、内輪形画像の半径は非記録領域ＨＲ１の最大の長さＬ３に基づいて決定する。つまり、記録ディスクＤの中心Ｔから内周縁ＳＥ１までの距離がＲ１であるので、内輪形画像の半径は（Ｒ１＋Ｌ３）と設定される。ステップＳ５１は、本発明の半径算出部の一例である。
【００９２】
このようにして設定された内輪形画像の半径を内半径メモリ８３ｆに記憶する（Ｓ５２）。
【００９３】
内輪形幅メモリｄに記憶されている内輪形画像の輪形幅と内半径メモリ８３ｆに記憶されている内輪形画像の半径とに基づいて内輪形画像を生成する（Ｓ５３）。生成される内輪形画像は、半径が内半径メモリ８３ｆに記憶されている半径で、その半径から中心方向（内側）に幅が内輪形幅メモリｄに記憶されている輪形幅の大きさの内輪形画像である。例えば、図１２の記録ディスクＤでは、中心Ｔからの半径が（Ｒ１＋Ｌ１）で、その半径から中心方向に幅がＬ１の大きさの内輪形画像が生成される。この記録ディスクＤに生成された内輪形画像を記録すると、図１４に示すような、中心Ｔからの距離で内径Ｒ１、外径（Ｒ１＋Ｌ１）、幅Ｌ１の輪形の内輪形画像ＷＧ１が記録される。また、図１３の記録ディスクＤでは、中心Ｔからの半径が（Ｒ１＋Ｌ３）で、その半径から中心方向に幅が（Ｌ３−Ｌ４）の大きさの内輪形画像が生成される。この記録ディスクＤに生成された内輪形画像を記録すると、図１５に示すような、内径（Ｒ１＋Ｌ４）、外径（Ｒ１＋Ｌ３）、幅（Ｌ３−Ｌ４）の輪形の内輪形画像ＷＧ３が記録される。
【００９４】
生成された内輪形画像を内輪形画像生成データメモリ８３ｇに記憶され（Ｓ５４）、内輪形画像生成処理が終了する。
【００９５】
（外輪形画像生成処理）
画像記録装置１０の外輪形画像生成処理の詳細について、図１０を参照して説明する。図１０は、ステップＳ１０にて実行される外輪形画像生成処理の詳細を示すフローチャートである。尚、ここでは、ステップＳ４１において自動幅設定が選択された（Ｓ４１：ＹＥＳ）として、生成される外輪形画像について説明する。
【００９６】
この外輪形画像生成処理では、まず、外輪形画像の半径が設定される（Ｓ６１）。例えば、図１２に示すような記録ディスクＤのレーベル面の場合は、非記録領域ＨＲ２が全て無くなるように外輪形画像を記録するので、外輪形画像の半径は記録ディスクＤの半径に基づいて決定する。つまり、記録ディスクＤの中心Ｔから記録ディスクＤの外周縁ＳＥ２までの距離がＲ２とすると、この場合の外輪形画像の半径はＲ２と設定される。また、図１３に示すような記録ディスクＤのレーベル面の場合は、非記録領域ＨＲ２の最大の長さＬ５が最小の長さＬ６と同じになるように外輪形画像を記録するので、外輪形画像の半径は非記録領域ＨＲ１の最小の長さＬ６に基づいて決定する。つまり、記録ディスクＤの中心Ｔから外周縁ＳＥ２までの距離がＲ２であるので、この場合の外輪形画像の半径は（Ｒ２−Ｌ６）と設定される。ステップＳ６１は、本発明の半径算出部の一例である。
【００９７】
このようにして設定された外輪形画像の半径を外半径メモリ８３ｈに記憶する（Ｓ６２）。
【００９８】
外輪形幅メモリｅに記憶されている外輪形画像の輪形幅と外半径メモリ８３ｈに記憶されている外輪形画像の半径とに基づいて外輪形画像を生成する（Ｓ６３）。生成される外輪形画像は、半径が外半径メモリ８３ｈに記憶されている半径で、その半径から中心方向（内側）に幅が外輪形幅メモリｅに記憶されている輪形幅の大きさの外輪形画像である。例えば、図１２の記録ディスクＤでは、中心Ｔからの半径がＲ２で、その半径から中心方向に幅がＬ２の大きさの内輪形画像が生成される。この記録ディスクＤに生成された内輪形画像を記録すると、図１４に示すような、内径（Ｒ１−Ｌ２）、外径Ｒ２、幅Ｌ２の輪形の外輪形画像ＷＧ２が記録される。また、図１３の記録ディスクＤでは、中心Ｔからの半径が（Ｒ２−Ｌ６）で、その半径から中心方向に幅が（Ｌ５−Ｌ６）の大きさの外輪形画像が生成される。この記録ディスクＤに生成された外輪形画像を記録すると、図１５に示すような、内径（Ｒ２−Ｌ５）、外径（Ｒ２−Ｌ６）、幅（Ｌ５−Ｌ６）の輪形の外輪形画像ＷＧ４が記録される。
【００９９】
生成された外輪形画像を外輪形画像生成データメモリ８３ｉに記憶され（Ｓ６４）、外輪形画像生成処理が終了する。
【０１００】
本実施形態に基づき本発明を説明したが、本発明は上述した実施形態に何ら限定されるものではなく、本発明の趣旨を逸脱しない範囲内で種々の改良変更が可能であることは容易に推察できるものである。
【０１０１】
例えば、本実施形態では、図１３に示すような記録ディスクのレーベル面だった場合に、内周領域及び外周領域に非記録領域ＨＲ１及びＨＲ２を残すように内輪形画像及び外輪形画像を生成したが、非記録領域ＨＲ１及びＨＲ２を全て塗りつぶすように内輪形画像及び外輪形画像を生成してもよい。
【０１０２】
例えば、本実施形態では、記録ディスクＤのレーベル面に記録される内輪形画像及び外輪形画像を黒色としたが、これに限定されない。例えば、ユーザが内輪形画像及び外輪形画像の色を設定できるようにし、青色や赤色等の黒以外の色を記録できるようにしてもよい。
【符号の説明】
【０１０３】
１０    画像記録装置
１１    プリンタ部
１２    スキャナ部
１４    操作パネル部
２９    トレイ搬送ローラ
３３    キャリッジ
３４    記録ヘッド
３６    光学センサ
８１    ＣＰＵ
ＴＲ    ディスクトレイ
Ｄ      記録ディスク
ＭＫ    トレイ検出マーク
ＫＲ    記録領域
ＨＲ    非記録領域
ＷＧ    輪形画像
Ｓ９    内輪形画像生成処理
Ｓ１０  外輪形画像生成処理
【図１】
2010221453.tif 000003
【図２】
2010221453.tif 000004
【図３】
2010221453.tif 000005
【図４】
2010221453.tif 000006
【図５】
2010221453.tif 000007
【図７】
2010221453.tif 000008
【図８】
2010221453.tif 000009
【図９】
2010221453.tif 000010
【図１０】
2010221453.tif 000011
【図６】
2010221453.tif 000012
【図１１】
2010221453.tif 000013
【図１２】
2010221453.tif 000014
【図１３】
2010221453.tif 000015
【図１４】
2010221453.tif 000016
【図１５】
2010221453.tif 000017